(57)【要約】      （修正有）【課題】組み立てが緩んだり、開封されたり、脱落したりしない合格祈願用お守りの提供。【解決手段】ボルト部材１と、祈願用紙と、透明樹脂製円筒型ケース３と、ボルト部材１に螺着可能なナット部材４と、このナット部材４をボルト部材１にロックして緩みの発生を防ぐロック部材５とで組み立て可能に形成され、祈願用紙は祈願事項を記入することができる記入部を備えたものであり、透明樹脂製円筒型ケース３は、その中空部に前記ボルト部とこれに巻き付けられた祈願用紙を収納可能となる大きさに形成されたものであり、この透明樹脂製円筒型ケース３の長さ寸法は、前記ボルト部の長さ寸法より小寸に形成され、前記ボルト部に前記透明樹脂製円筒型ケース３を被せた際の、透明樹脂製円筒型ケース３から外部に延伸するボルト部位置に、前記ナット部材４とロック部材５との順序で螺着可能となるように構成した。【選択図】図１
2019042194.tif 000002
【特許請求の範囲】
【請求項１】
ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成したことを特徴とする合格祈願用お守り。
【請求項２】
ロック部材がスプリング機能を備えた構成であることを特徴とする請求項1記載の合格祈願用お守り。
【請求項３】
透明樹脂製円筒型ケースに紐通し部を形成したことを特徴とする請求項1又は２記載の合格祈願用お守り。
【請求項４】
組み立て後の合格祈願用お守りの底面形状が、「合」の文字の形状を呈するように視認される構成であることを特徴とする請求項1乃至３のいずれかに記載の合格祈願用お守り。
【発明の詳細な説明】
【技術分野】
【０００１】
本発明は合格祈願用お守りに係り、さらに詳しくは受験を目指す受験生が、志望校を祈願用紙に記入し、この祈願用紙を収納して組み立てられる合格祈願用お守りに関する。
【背景技術】
【０００２】
従来から一般的なお守りは、布製巾着型の袋かビニール製透明ケースに入っており、これを鞄や財布などに入れて持ち歩くことが多かった。
さらにファッション性を考慮して、お守りを透明でおしゃれなものにして、内部に神饌や祈願文などを納めて視認できるようにしたもの(特開２０１０−２５３２２２)とか、他人に祈願文の内容を見られず、その上祈願行為そのものも知られたくなく、しかし自分自身ではその事の確たる証拠を残し、その物を自分だけのお守りとして保持したいと望む人達の願望をかなえるというものもあった(特開２０１３−５９５９５)。
【０００３】
またお守りを尊厳をもって丁重に収納し、アクセサリー感覚で常に身に着けていられるロケットペンダント型のものなども提案されている。(特開２０１３−１０６７６９)
【先行技術文献】
【特許文献】
【０００４】
【特許文献１】特開２０１０−２５３２２２号公報
【特許文献２】特開２０１３−５９５９５号公報
【特許文献３】特開２０１３−１０６７６９号公報
【発明の開示】
【発明が解決しようとする課題】
【０００５】
本発明の合格祈願用お守りは、受験の必勝器具に特化したお守りであり、合格を確実なものにするという願望達成の安心感を与えることができるお守りである。
合格を確実なものとするという願望達成の安心感とは、自らが所持するお守りが組立状態から不用意に緩んで脱落したり、お守りの形態が崩れたりすることがなく、その結果、お守りの目的である合格祈願の確実な達成感を、このお守りが保持する構造的特徴から体感かつ訴求できることを意味する。
【０００６】
上記したような従来のお守りは、上記した祈願用紙又はご神体、ご本尊に相当する最も価値のあるお札本体が、簡単にお守りの外に取り出される構造であったため、またお守り全体が開封されてお札本体が容易に人目に触れたり、脱落することが有る構造であったため、合格を祈願するお守りの所持者にとっては、今一つ安定性、信頼感に欠け、合格祈願に対しての不安を抱かせるという問題があった。
【０００７】
本発明は、祈願用紙を収納して組み立てられた後のお守りは、決して組み立てが緩んだり、開封されたり、脱落したりしない構造体となっており、お守りの所持者にとって、構造体の安定性、信頼感から合格という結果を確信させ、お守りを所持する者に安心感を与えることができて、使用性に優れた合格祈願用お守りを提供することにより、上述した全ての問題点を解消しようとするものである。
【課題を解決するための手段】
【０００８】
上記目的を達成するために、請求項１記載の発明は、ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成したことを特徴とする合格祈願用お守りである。
【０００９】
請求項２は、ロック部材がスプリング機能を備えた構成であることを特徴とする請求項1記載の合格祈願用お守りである。
【００１０】
請求項３は、透明樹脂製円筒型ケースに紐通し部を形成したことを特徴とする請求項1又は２記載の合格祈願用お守りである。
【００１１】
請求項４は、組み立て後の合格祈願用お守りの底面形状が、「合」の文字の形状を呈するように視認される構成であることを特徴とする請求項1乃至３のいずれかに記載の合格祈願用お守りである。
【発明の効果】
【００１２】
上記した請求項１に係る合格祈願用お守りは、祈願用紙を収納して組み立てられた後のお守りは、決して緩んだり、開封されたり、脱落したりしない構造体となっており、お守りの所持者にとって、構造体の安定性、信頼感から合格という結果を確信させ、お守りを所持する者に安心感を与えることができて、使用性に優れた合格祈願用お守りを提供できるという優れた効果を発揮する。
【００１３】
また請求項２に係る合格祈願用お守りは、ロック部材のロック効果が一層向上するという効果を発揮する。
【００１４】
さらに請求項３に係る合格祈願用お守りは、紐通し部を形成したため、この紐通し部に吊り下げ用の革紐、布紐、金属製チエーンなどを挿通させて、首から下げたりできるという効果を発揮する。
【００１５】
ついで請求項４に係る合格祈願用お守りは、組み立て後の合格祈願用お守りの底面形状が、「合」の文字の形状を呈するように視認される構成であることを特徴とするため、そこから視認できる「合」の文字の形状を通じて、最終念願である「合格」という結果に通じる意味をお守り所持者に植え付けることができるという効果を発揮する。
【図面の簡単な説明】
【００１６】
【図１】本発明に係る合格祈願用お守りの組立状態の斜視図である。
【図２】前図の分解斜視図である。
【図３】本発明に係る合格祈願用お守りの組立手順の説明図で、（Ａ）は複数の祈願用紙からなる祈願用紙綴りの斜視図、（Ｂ）は前記祈願用紙綴りから１枚の祈願用紙を切り離し、その祈願用紙の記入部に希望する大学名を記入している状態の斜視図、（Ｃ）は記入済み祈願用紙をボルト部材のボルト部周辺に巻き付けた状態の斜視図、（Ｄ）は、ついで透明樹脂製円筒型ケースをボルト部に被せる状態の斜視図で、（Ｅ）は、続いてナット部材をボルト部に螺着している状態の斜視図で、（Ｆ）は、さらにナット部材の後端にロック部材をボルト部に螺着している状態の斜視図で、（Ｇ）は、上記の組立手順で完成したお守りの斜視図である。
【発明を実施するための形態】
【００１７】
以下添付図面に基づいて、本発明に係る合格祈願用お守りの一実施の形態を詳説する。
まず本発明に係る合格祈願用お守り１０は、ボルト部材１と、祈願用紙２と、透明樹脂製円筒型ケース３と、ボルト部材に螺着可能なナット部材４と、このナット部材をボルト部材にロックして緩みの発生を防ぐロック部材５とで組み立て可能に形成されている。
【００１８】
ボルト部材１はボルト頭部１１とボルト部１２で構成され、祈願用紙２は、必要に応じて複数の祈願用紙を連接して祈願用紙綴り２１に構成することができ、この祈願用紙綴り２１をはさみ２２で切断するなり、あるいはミシン目（図示しない）を設けて、そのミシン目位置で簡単に切り離せるようにしてもよい。
ボルト部材１は、例えば六角ボルトなどで構成され、その場合にはボルト頭部１１の平面形状及び底面形状は六角形状を呈することとなる。
【００１９】
また祈願用紙２には、志望校などの目的とする祈願事項（学校名など）を記入することができる記入部２３が備えられている。記入部２３を白紙の状態にして、その裏面を好みの着色を付したり、好みのデザインを付したりすることもできる。この裏面は、祈願用紙２がボルト部材１のボルト部１２に巻き付けられた際には、透明樹脂製円筒型ケース３の中で外側に向いて位置して外部から視認可能な状態となるので、祈願用紙２の裏面を着色したりデザインを表示するとおしゃれな合格祈願用お守り１０が完成することとなる。
【００２０】
ついで、祈願用紙２を表面を内側にしてボルト部１２に巻き付け、この状態で透明樹脂製円筒型ケース３をボルト部１２に被せると、透明樹脂製円筒型ケース３の先端がボルト頭部１１の下面に当接して被せ位置が決まり、透明樹脂製円筒型ケース３の後端よりボルト部１２の下端が飛び出した状態となる。これは、透明樹脂製円筒型ケース３の長さ寸法が、前記ボルト部１２の長さ寸法より小寸に形成されていることに起因する。
【００２１】
続いて、前記ボルト部１２に前記透明樹脂製円筒型ケース３を被せた際の、透明樹脂製円筒型ケース３から外部に延伸するボルト部１２位置に、前記ナット部材４とロック部材５との順序で螺着すると、ロック部材５はナット部材４の緩みを防止するものであるため、透明樹脂製円筒型ケース３もこのナット部材４とボルト頭部の下面とで挟持されて、全く緩みのない状態で安定保持されることとなる。
【００２２】
本発明のロック部材５は、一般的にロック効果を発揮するものであればどのような構成のものでも構わないが、例えば図２に示したように金属製線材を六角形状に巻設し、終端を六角形状の巻設部内に収まる状態で円形に巻設して、スプリング効果を発揮するように構成し、このスプリング効果で、ナット部材を奥に押し込む方向に弾発力が常時付与されるようにしておくと、ロック部材５のロック効果は万全なものとなり、図３の手順で組み付けられた合格祈願用お守り１０は、決して緩みが生じないものとなる。
【００２３】
また、透明樹脂製円筒型ケース３に紐通し部３１を形成しておくと、この紐通し部３１に吊り下げ用の革紐３２（布紐、金属製チエーンなど）を挿通させて、首から下げて使用することが便利となる。
【００２４】
さらに、組み立て後の合格祈願用お守りの底面形状が、「合」の文字の形状を呈するように視認される構成であると、「合格」をイメージし易くなって縁起が良いと感じることができる。
【００２５】
上記の「合」の文字の形状を呈する場合とは、例えば図２のロック部材のイメージがそのように表現されるもので、「傘冠」の部分は、六角形状のうちの二か所の縁部がこれに相当し、「−」の部分は横向き直線部がこれに相当し、「口」の部分は、中心の円形部がこれに相当する。
【００２６】
本発明の合格祈願用お守り１０は、図２に示すように各パーツを分解した状態で単行本程度の大きさの収納ケース(図示しない)に収め、この収納ケース単位で流通に置くことで、書籍を扱う業界でも利用が可能となる。この合格祈願用お守り１０を購入した者は、自分の都合で好きな時に好きな場所で、密かに合格祈願用お守りを組み立てて完成することが可能となる。
【００２７】
本発明の合格祈願用お守り１０は、合格祈願に最適なものであるが、祈願内容は合格祈願以外の祈願にも十分通じることは言うまでもない。
【産業上の利用可能性】
【００２８】
本発明は、お守りを使用したり製造したりする産業において利用される。
【符号の説明】
【００２９】
１…ボルト部材
１０…合格祈願用お守り
１１…ボルト頭部
１２…ボルト部
２…祈願用紙
２１…祈願用紙綴り
２２…はさみ
２３…記入部
３…透明樹脂製円筒型ケース
３１…紐通し部
３２…革紐
４…ナット部材
５…ロック部材
【図１】
2019042194.tif 000003
【図２】
2019042194.tif 000004
【図３】
2019042194.tif 000005
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成した合格祈願用お守りにおいて、
このお守りを構成する各パーツを分解した状態で、単行本の大きさの収納ケースに収めたことを特徴とする合格祈願用お守り。
【請求項２】
ロック部材がスプリング機能を備えた構成であることを特徴とする請求項1記載の合格祈願用お守り。
【請求項３】
透明樹脂製円筒型ケースに紐通し部を形成したことを特徴とする請求項1又は２記載の合格祈願用お守り。
【請求項４】
合格祈願用お守りの組み立て後における、ボルト部材のボルト頭部形成位置と反対側端部となる位置に相当するお守り底面の底面形状が、「合」の文字の形状を呈するように視認される構成であることを特徴とする請求項1乃至３のいずれかに記載の合格祈願用お守り。
【手続補正２】
【補正対象書類名】明細書
【補正対象項目名】０００８
【補正方法】変更
【補正の内容】
【０００８】
上記目的を達成するために、請求項１記載の発明は、ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成した合格祈願用お守りにおいて、
このお守りを構成する各パーツを分解した状態で、単行本の大きさの収納ケースに収めたことを特徴とする合格祈願用お守りである。
【手続補正３】
【補正対象書類名】明細書
【補正対象項目名】００１１
【補正方法】変更
【補正の内容】
【００１１】
請求項４は、合格祈願用お守りの組み立て後における、ボルト部材のボルト頭部形成位置と反対側端部となる位置に相当するお守り底面の底面形状が、「合」の文字の形状を呈するように視認される構成であることを特徴とする請求項1乃至３のいずれかに記載の合格祈願用お守りである。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備え、この記入部は切り離し可能となる状態で複数備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成した合格祈願用お守りにおいて、
合格祈願用お守りの組み立て後における、ボルト部材のボルト頭部形成位置と反対側端部となる位置に相当するお守り底面の底面形状が、「合」の文字の形状を呈するように視認される構成であり、このお守りを構成する各パーツを分解した状態で、単行本の大きさの収納ケースに収めたことを特徴とする合格祈願用お守り。
【請求項２】
ロック部材がスプリング機能を備えた構成であることを特徴とする請求項1記載の合格祈願用お守り。
【請求項３】
透明樹脂製円筒型ケースに紐通し部を形成したことを特徴とする請求項1又は２記載の合格祈願用お守り。
【手続補正２】
【補正対象書類名】明細書
【補正対象項目名】０００８
【補正方法】変更
【補正の内容】
【０００８】
上記目的を達成するために、ボルト部材と、祈願用紙と、透明樹脂製円筒型ケースと、ボルト部材に螺着可能なナット部材と、このナット部材をボルト部材にロックして緩みの発生を防ぐロック部材とで組み立て可能に形成され、ボルト部材はボルト頭部とボルト部で構成され、祈願用紙は祈願事項を記入することができる記入部を備え、この記入部は切り離し可能となる状態で複数備えたものであり、透明樹脂製円筒型ケースは、その中空部に前記ボルト部とこれに巻き付けられた祈願用紙を収納可能となる大きさに形成されたものであり、この透明樹脂製円筒型ケースの長さ寸法は、前記ボルト部の長さ寸法より小寸に形成され、前記ボルト部に前記透明樹脂製円筒型ケースを被せた際の、透明樹脂製円筒型ケースから外部に延伸するボルト部位置に、前記ナット部材とロック部材との順序で螺着可能となるように構成した合格祈願用お守りにおいて、
合格祈願用お守りの組み立て後における、ボルト部材のボルト頭部形成位置と反対側端部となる位置に相当するお守り底面の底面形状が、「合」の文字の形状を呈するように視認される構成であり、このお守りを構成する各パーツを分解した状態で、単行本の大きさの収納ケースに収めたことを特徴とする合格祈願用お守りである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
上記した請求項１に係る合格祈願用お守りは、祈願用紙を収納して組み立てられた後のお守りは、決して緩んだり、開封されたり、脱落したりしない構造体となっており、お守りの所持者にとって、構造体の安定性、信頼感から合格という結果を確信させ、お守りを所持する者に安心感を与えることができて、使用性に優れた合格祈願用お守りを提供できるという優れた効果を発揮する。
さらに請求項１に係る合格祈願用お守りは、合格祈願用お守りの組み立て後における、ボルト部材のボルト頭部形成位置と反対側端部となる位置に相当するお守り底面の底面形状が、「合」の文字の形状を呈するように視認される構成でありであることを特徴とするため、そこから視認できる「合」の文字の形状を通じて、最終念願である「合格」という結果に通じる意味をお守り所持者に植え付けることができるという効果を発揮する。
【手続補正５】
【補正対象書類名】明細書
【補正対象項目名】００１５
【補正方法】削除
【補正の内容】